(57)【要約】【課題】ユーザの好みのパーツで着飾ることが可能な携帯端末を提供すること。【解決手段】電子部品１３、１４、１６を収容するケース１１、１２と、ケース１１、１２の所定の面に着脱可能に取り付けられるパネル１７と、を備え、ケース１１、１２は、パネル１７に覆われている領域の一部において凹んだディスプレイボックス部１２ａを有し、パネル１７は、ディスプレイボックス部１２ａと対応する領域に透明窓１７ａを有する。【選択図】図３
2012147232.tif 000002
【特許請求の範囲】
【請求項１】
電子部品を収容するケースと、
前記ケースの所定の面に着脱可能に取り付けられるパネルと、
を備え、
前記ケースは、前記パネルに覆われている領域の一部において凹んだディスプレイボックス部を有し、
前記パネルは、前記ディスプレイボックス部と対応する領域に透明窓を有することを特徴とする携帯端末。
【請求項２】
前記ディスプレイボックス部内に着脱可能に取り付けられるプレートを備えることを特徴とする請求項１記載の携帯端末。
【請求項３】
前記電子部品は、前記ケース内に実装された配線基板と、前記配線基板上の前記ディスプレイボックス部の横に搭載された発光素子と、を備え、
前記ディスプレイボックス部は、前記発光素子からの光を前記ディスプレイボックス部内に通す貫通穴部を有することを特徴とする請求項１又は２記載の携帯端末。
【請求項４】
前記電子部品は、表示装置を備え、
前記ケースは、前記表示装置の表示面側に配されたフロントケースと、前記表示装置の背面側に配されたリアケースと、が組み合わさって構成され、
前記ディスプレイボックス部は、前記リアケースに形成され、
前記パネルは、前記リアケースに着脱可能に取り付けられることを特徴とする請求項１乃至３のいずれか一に記載の携帯端末。
【発明の詳細な説明】
【技術分野】
【０００１】
本発明は、携帯端末に関し、特に、着飾ることが可能な携帯端末に関する。
【背景技術】
【０００２】
従来の携帯電話機等の携帯端末においては、本体ケースに着脱可能なパネルを取り替えることで、着せ替えすることができるものがある（例えば、特許文献１、２参照）。
【先行技術文献】
【特許文献】
【０００３】
【特許文献１】実用新案登録第３１１０３１１号公報
【特許文献２】特開２００６−３３２３７号公報
【発明の概要】
【発明が解決しようとする課題】
【０００４】
しかしながら、着せ替え用のパネルはメーカーが予め用意したものに限定されていたため、それぞれのユーザ独自の着せ替えは容易には行えなかった。つまり、従来の携帯端末の着せ替えは、携帯端末の最外見部品（リアパネルやキーシート）の付け替えだけであり、どれもメーカー側の準備した部品を購入し、付け替えることしかできなかった。これは、ユーザの着せ替えの自由度を奪うものであり、また、ユーザに対し正規品の購入を要求するものでもあった。
【０００５】
本発明の主な課題は、ユーザの好みのパーツで着飾ることが可能な携帯端末を提供することである。
【課題を解決するための手段】
【０００６】
本発明の一視点においては、携帯端末において、電子部品を収容するケースと、前記ケースの所定の面に着脱可能に取り付けられるパネルと、を備え、前記ケースは、前記パネルに覆われている領域の一部において凹んだディスプレイボックス部を有し、前記パネルは、前記ディスプレイボックス部と対応する領域に透明窓を有することを特徴とする。
【０００７】
本発明の前記携帯端末において、前記ディスプレイボックス部内に着脱可能に取り付けられるプレートを備えることが好ましい。
【０００８】
本発明の前記携帯端末において、前記電子部品は、前記ケース内に実装された配線基板と、前記配線基板上の前記ディスプレイボックス部の横に搭載された発光素子と、を備え、前記ディスプレイボックス部は、前記発光素子からの光を前記ディスプレイボックス部内に通す貫通穴部を有することが好ましい。
【０００９】
本発明の前記携帯端末において、前記電子部品は、表示装置を備え、前記ケースは、前記表示装置の表示面側に配されたフロントケースと、前記表示装置の背面側に配されたリアケースと、が組み合わさって構成され、前記ディスプレイボックス部は、前記リアケースに形成され、前記パネルは、前記リアケースに着脱可能に取り付けられることが好ましい。
【発明の効果】
【００１０】
本発明によれば、ユーザは好みのパーツで携帯端末を着彩ることが可能となる。その理由は、携帯端末のケースにディスプレイボックス部を設け、パネルにおけるディスプレイボックス部と対応する位置に透明窓を設けることで、ディスプレイボックス部内にユーザの好きなものを配置して外側から見えるようにすることができるからである。
【図面の簡単な説明】
【００１１】
【図１】本発明の実施例１に係る携帯端末のリア側の外観を模式的に示した図である。
【図２】本発明の実施例１に係る携帯端末のリアパネルを外した状態のリア側の外観を模式的に示した図である。
【図３】本発明の実施例１に係る携帯端末の構成を模式的に示した図１のＸ−Ｘ´間の断面図である。
【図４】本発明の実施例２に係る携帯端末の構成を模式的に示した断面図である。
【図５】本発明の実施例３に係る携帯端末の構成を模式的に示した断面図である。
【発明を実施するための形態】
【００１２】
本発明の実施形態に係る携帯端末では、電子部品（図３の１３、１４、１６）を収容するケース（図３の１１、１２）と、前記ケースの所定の面に着脱可能に取り付けられるパネル（図３の１７）と、を備え、前記ケースは、前記パネルに覆われている領域の一部において凹んだディスプレイボックス部（図３の１２ａ）を有し、前記パネルは、前記ディスプレイボックス部と対応する領域に透明窓（図３の１７ａ）を有する。
【００１３】
なお、本出願において図面参照符号を付している場合は、それらは、専ら理解を助けるためのものであり、図示の態様に限定することを意図するものではない。
【実施例１】
【００１４】
本発明の実施例１に係る携帯端末について図面を用いて説明する。図１は、本発明の実施例１に係る携帯端末のリア側の外観を模式的に示した図である。図２は、本発明の実施例１に係る携帯端末のリアパネルを外した状態のリア側の外観を模式的に示した図である。図３は、本発明の実施例１に係る携帯端末の構成を模式的に示した図１のＸ−Ｘ´間の断面図である。
【００１５】
携帯端末１は、携帯可能な情報端末であり、例えば、携帯電話機、電子辞書などに適用することができ、図１では携帯電話機を適用したものである。携帯端末１は、第１筐体２と第２筐体３とがヒンジ部４で折り畳み可能に連結された構成となっている。携帯端末１は、第１筐体２においてリアパネル１７が着脱可能になっており、第１筐体２におけるリアパネル１７の内側の部分にユーザは好みのパーツを配置（収容）することが可能なディスプレイボックス部１２ａを有する。
【００１６】
第１筐体２は、表示装置１４を収容した筐体である。第１筐体２は、主な構成部として、フロントケース１１と、リアケース１２と、配線基板１３と、表示装置１４と、透明窓１５と、配線基板１６と、リアパネル１７と、を有する。
【００１７】
フロントケース１１は、リアケース１２と組み合わさることで表示装置１４を収容するケースである。フロントケース１１は、フロント側（図３の下側）の面において、表示装置１４の表示部分に対応する位置に開口部を有し、当該開口部に透明窓１５が固定されている。フロントケース１１は、リアケース１２と嵌合している。
【００１８】
リアケース１２は、フロントケース１１と組み合わさることで表示装置１４を収容するケースである。リアケース１２は、リア側（図３の上側）の面において、リアケース１２の外周に沿ってリアケース１２の周縁部に突起部が形成されており、当該突起部で囲まれた領域の内側にリアパネル１７が着脱可能に装着される。リアケース１２は、リアパネル１７の透明窓１７ａに対応する位置に形成された凹状のディスプレイボックス部１２ａを有する。ディスプレイボックス部１２ａは、ユーザの好みのパーツを配置するためのスペースであり、リアパネル１７によって塞がれる。
【００１９】
配線基板１３は、フロントケース１１とリアケース１２とが組み合わった第１筐体２内に実装された配線基板である。配線基板１３には、フロントケース１１側の面に表示装置１４が搭載されており、リアケース１２側の面に配線基板１６が搭載されている。
【００２０】
表示装置１４は、情報を表示する装置である。表示装置１４は、配線基板１３のフロントケース１１側の面に搭載されており、配線基板１３とともにフロントケース１１とリアケース１２とが組み合わった第１筐体２内に実装されている。
【００２１】
透明窓１５は、表示装置１４の表示部分に対応する位置に形成されたフロントケース１１の開口部に固定された透明の窓である。
【００２２】
配線基板１６は、配線基板１３のリアケース１２側の面に搭載されており、配線基板１３とともにフロントケース１１とリアケース１２とが組み合わった第１筐体２内に実装されている。
【００２３】
リアパネル１７は、リアケース１２のリア側（図３の上側）に着脱可能に装着されるパネルである。リアパネル１７は、リアケース１２の周縁部に形成された突起部で囲まれた領域の内側に装着される。リアパネル１７は、リアケース１２のディスプレイボックス部１２ａと対応する位置に、ディスプレイボックス部１２ａ内に配置されたパーツを外側から見えるようにするための透明窓１７ａを有する。リアパネル１７の固定は、リアケース１２へのツメ嵌合とし、ユーザ自身による付け替えが可能な構成とする。
【００２４】
実施例１によれば、ユーザが自身の好きなもので携帯端末を着飾ることができる。その理由は、携帯端末１のリアケース１２にディスプレイボックス部１２ａを設け、リアパネル１７におけるディスプレイボックス部１２ａと対応する位置に透明窓１７ａを設けることで、ディスプレイボックス部１２ａ内にユーザの好きなものを配置して外側から見えるようにすることができるからである。
【実施例２】
【００２５】
本発明の実施例２に係る携帯端末について図面を用いて説明する。図４は、本発明の実施例２に係る携帯端末の構成を模式的に示した断面図である。なお、図４の断面図は、図１のＸ−Ｘ´間の断面に相当する。
【００２６】
実施例２は、実施例１の変形例であり、ディスプレイボックス部１２ａ内に着脱可能なプレート２０を配置したものである。その他の構成は、実施例１と同様である。
【００２７】
プレート２０の用途は、ディスプレイボックス部１２ａ内に入れるものがディスプレイボックス部１２ａの深さに対して薄い場合に使用する。ディスプレイボックス部１２ａ内に入れるものとして、例えば、写真やレリーフなどが該当する。入れるものが薄い場合、入れたものがディスプレイボックス部１２ａ内で傾いたり、ズレたりしてしまうため、プレート２０を入れることで、この問題を解決することができる。
【実施例３】
【００２８】
本発明の実施例３に係る携帯端末について図面を用いて説明する。図５は、本発明の実施例３に係る携帯端末の構成を模式的に示した断面図である。なお、図５の断面図は、図１のＸ−Ｘ´間の断面に相当する。
【００２９】
実施例３は、実施例１の変形例であり、ディスプレイボックス部１２ａの横に配された配線基板１６上に側面発光の発光素子３０を配置し、発光素子３０の近傍のディスプレイボックス部１２ａの側壁に貫通穴部１２ｂを開けたものである。その他の構成は実施例１と同様である。
【００３０】
側面発光の発光素子３０をディスプレイボックス部１２ａの貫通穴部１２ｂに向けて配置し、発光素子３０を点灯させると、発光素子３０からの光が貫通穴部１２ｂを通じてディスプレイボックス部１２ａ内に配置したものを照らし出すことができるようになる。
【００３１】
なお、本発明の全開示（請求の範囲及び図面を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲及び図面を含む全開示、技術的思想にしたがって当業者であればなし得るであろう各種変形、修正を含むことは勿論である。
【符号の説明】
【００３２】
１  携帯端末
２  第１筐体（ケース）
３  第２筐体
４  ヒンジ部
１１  フロントケース
１２  リアケース
１２ａ  ディスプレイボックス部
１２ｂ  貫通穴部
１３  配線基板（電子部品）
１４  表示装置（電子部品）
１５  透明窓
１６  配線基板（電子部品）
１７  リアパネル（パネル）
１７ａ  透明窓
２０  プレート
３０  発光素子（電子部品）
【図１】
2012147232.tif 000003
【図２】
2012147232.tif 000004
【図３】
2012147232.tif 000005
【図４】
2012147232.tif 000006
【図５】
2012147232.tif 000007